(57)【要約】【課題】構造を簡素化でき、組み立てが容易となるカウンターウエイトを提供することを目的とする。【解決手段】複数個のウエイト部材１が連結されて成る作業車両のカウンターウエイトである。ウエイト部材１同士は、夫々において形成された、円錐台状の凸部２と、円錐台状の凹孔３と、が相互に嵌まり合って、連結される。【選択図】  図１
2004338821.tif 000002
【特許請求の範囲】
【請求項１】
複数個のウエイト部材（１）が連結されて成る作業車両のカウンターウエイトに於て、上記ウエイト部材（１）同士は、夫々において形成された、円錐台状の凸部（２）と、円錐台状の凹孔（３）と、が相互に嵌まり合って、連結されることを特徴とするカウンターウエイト。
【請求項２】
上記ウエイト部材（１）は少なくとも一部において上下に重なり状となって連結される構成とされ、該ウエイト部材（１）同士は、上下重なり面において、上記凸部（２）と、上記凹孔（３）と、が相互に嵌まり合って、連結される請求項１記載のカウンターウエイト。
【請求項３】
上記ウエイト部材（１）は鋳造品とされ、上記凸部（２）と上記凹孔（３）は表面処理されることなく鋳放しの状態のままとされた請求項１又は２記載のカウンターウエイト。
【請求項４】
上記ウエイト部材（１）は鋳造品とされ、上記凸部（２）と上記凹孔（３）は研削加工された表面を有する請求項１又は２記載のカウンターウエイト。
【発明の詳細な説明】
【０００１】
【発明の属する技術分野】
本発明は、建設機械に用いられるカウンターウエイトに関する。
【０００２】
【従来の技術】
従来よりフォークリフト等の建設機械に用いられるカウンターウエイトとしては、鋳造製カウンターウエイト、板金製カウンターウエイト等がある。
重量の重いカウンターウエイトが必要な場合、板金製（ボックス型）では重量の割には体積が大きくなり、形状・大きさに制限があると採用できないという欠点がある。
また、カウンターウエイトが大きい場合、一体型としての製作が困難であるため、複数のウエイト部材（カウンターセグメント）による分割型とすることでこれを解消している。そして、このウエイト部材同士の連結は、ボルトナットにより行なわれている（例えば、特許文献１参照）。
【０００３】
【特許文献１】
特開２０００−１４３１６５号公報
【０００４】
【発明が解決しようとする課題】
しかし、従来のような分割型のカウンターウエイトでボルトナットにより相互の連結を行なう場合、組み立てに際し、ウエイト部材が重いため、ボルトナットによる締めつけ作業が危険でかつ困難であり、作業に注意が必要で、作業工数が多く発生するという問題点がある。また、連結用には特殊なボルトナットが必要とされ、これもコストアップの要因となっている。さらに、組み立てに際し、ウエイト部材同士の位置決め作業に手間を要するという問題点もある。
また、一つのウエイト部材に水平方向の力が作用する場合───例えば一つのウエイト部材に牽引用フックが取着される場合───、他のウエイト部材との間において、その力がボルトに剪断力として作用してしまうため、構造上好ましいものではなかった。
【０００５】
そこで本発明は、構造を簡素化でき、組み立てが容易となるカウンターウエイトを提供することを目的とする。
【０００６】
【課題を解決するための手段】
上述の目的を達成するために、本発明に係るカウンターウエイトは、複数個のウエイト部材が連結されて成る作業車両のカウンターウエイトに於て、上記ウエイト部材同士は、夫々において形成された、円錐台状の凸部と、円錐台状の凹孔と、が相互に嵌まり合って、連結されるものである。
また、上記ウエイト部材は少なくとも一部において上下に重なり状となって連結される構成とされ、該ウエイト部材同士は、上下重なり面において、上記凸部と、上記凹孔と、が相互に嵌まり合って、連結される。
また、上記ウエイト部材は鋳造品とされ、上記凸部と上記凹孔は表面処理されることなく鋳放しの状態のままとされている。或いは、上記ウエイト部材は鋳造品とされ、上記凸部と上記凹孔は研削加工された表面を有する。
【０００７】
【発明の実施の形態】
以下、図示の実施の形態に基づき、本発明を詳説する。
【０００８】
本発明に係るカウンターウエイトは、例えばフォークリフト等の作業車両（建設機械）に用いられるものであり、図１は、フォークリフトの車体フレーム４に取着されるカウンターウエイトの分解斜視図である。
このカウンターウエイトは、車両の後部側に取り付けられ、車両の前方部における荷物等の持ち上げや吊り上げによる荷重に対して、車両の後部にて車両のバランスを取るウエイトとなる。また、図２は分解側面図であり、図３は組み立て後の側面図である。
【０００９】
本発明に係るカウンターウエイトは、複数個のウエイト部材１…が連結されて成るものであり、ウエイト部材１…同士は、夫々において形成された、円錐台状の凸部２と、円錐台状の凹孔３と、が相互に嵌まり合って、連結される。
つまり、連結される二個のウエイト部材１，１を取り出して説明すると、一方に突出状に形成した円錐台形凸部２と、他方に形成した円錐台形の窪部となる凹孔３とが嵌合するものであり、本発明のカウンターウエイトは、ウエイト部材１，１間の結合を（ボルトを使用することなく）、凸部２（オス部）と、凸部２の形状に対応した凹孔３と、の各部分のみにおける嵌合にて行なった分割型のカウンターウエイトであると言える。
【００１０】
図１と図２と図３においては、ウエイト部材１の数を２個としているが、ウエイト部材１の数は、図示省略するがこれに限らず３個、４個…としてもよい。
また、ウエイト部材１は、少なくとも一部において上下に重なり状となって連結される構成とされ、上下重なるウエイト部材１，１同士は、上下重なり面において、凸部２と、凹孔３と、が相互に嵌合して、連結される。以下、カウンターウエイトの説明を、２個の場合（２分割カウンターウエイト）として説明する。
【００１１】
カウンターウエイトは、上ウエイト部材５と下ウエイト部材６とが連結されて、一体状とされるものであり、夫々の形状は、カウンターウエイトが固定されるフレーム４の（後部）形状に対応するよう構成されている。
つまり、下ウエイト部材６は、フレーム４の端部（後端部）の受け台部７に載置状となる載置ブロック部８と、ボルト等による第一連結部材１１にてフレーム４に固定されると共にフォークリフトＦの後面下部を形成する鉛直壁状の外装ブロック部９と、を有する。また、２０は、車両（フォークリフトＦ）の後輪側の車軸部となる。
【００１２】
これにより、下ウエイト部材６は、外装ブロック部９にてフォークリフトＦの後端部を保護すると共に、載置ブロック部８により下ウエイト部材６自身の自重をフレーム４にあずけることができ、構造的に安定したものとできる。そして、第一連結部材１１により下ウエイト部材６が脱落しないよう固定できる。
【００１３】
上ウエイト部材５は、下ウエイト部材６に、凸部２と凹部３を介して、載置状となる第一ブロック部１５と、第一ブロック部１５の左右両側部から前方方向へ延伸状となる平行な一対の第二ブロック部１６，１６と、から成り、平面視においてコ字状とされている。そして、第一ブロック部１５がフレーム４の後方側から、第二ブロック部１６，１６がフレーム４の左右方向両側から、フレーム４を三方から囲むようにして、上ウエイト部材５がフレーム４に第二連結部材１２及び第三連結部材１３により固定される。
【００１４】
また、上ウエイト部材５の第二ブロック部１６，１６は、フレーム４の後部両側面に設けた固定部１９，１９に載置状となって、第三連結部材１３，１３により固定され、さらに、上ウエイト部材５の第一ブロック部１５が下ウエイト部材６に載置状となり、上ウエイト部材５は、安定してフレーム４に固定されることとなる。
なお、第一連結部材１１、第二連結部材１２、第三連結部材１３は、ボルト、座金、バネ座金等とすればよい。また、上・下ウエイト部材５，６は、フレーム４に対して、シム部材により高さ、傾き等の位置調整を行ない固定される。
【００１５】
そして、一組の、下ウエイト部材６の水平状の上端面１７に形成した凸部２と、上ウエイト部材５の第一ブロック部１５の水平状の下端面１８に形成した凹孔３と、により、上・下ウエイト部材５，６が連結されている。なお、図１と図２と図３では、凸部２を下ウエイト部材６の上端面１７に形成し、凹孔３を上ウエイト部材５の下端面１８に形成しているが、これとは逆に、図示省略するが、凸部２を上ウエイト部材５の下端面１８に形成し、凹孔３を下ウエイト部材６の上端面１７に形成してもよい。さらに、図示省略するが、下ウエイト部材６と上ウエイト部材５間において、相互が嵌合する一組の凸部２と凹孔３を、複数組形成してもよい。
【００１６】
凸部２は、平坦面（下ウエイト部材６の上端面１７）から円錐台形に突出状となる部分であり、ウエイト部材１（下ウエイト部材６）の本体と一体として（同時に）鋳造により成型されている。そして、凹孔３は、平坦面（上ウエイト部材５の下端面１８）から円錐台形に形成された窪部であり、ウエイト部材１（上ウエイト部材５）の本体と一体として（同時に）鋳造により成型されている。凸部２及び凹孔３の錐形状は、円であるため、鋳造による欠陥が生じにくい。
【００１７】
円錐台形の凸部２と凹孔３とは、正面視において（前方から見て）、カウンターウエイト全体の鉛直方向の中心線上に位置されるよう形成され、凸部２と凹孔３の夫々の軸心は、同一鉛直線上に配置されるよう構成されている。そして、凸部２が凹孔３へ挿入状となって下ウエイト部材６と上ウエイト部材５とが所定の一体形状となる。また、凸部２の錐面（テーパー面）と凹孔３の錐面（テーパー面）とは全面にわたって接触するよう形成され、凸部２の錐面は凹孔３の錐面に接触するまで挿入状となり、上ウエイト部材５の重みにより相互間の接触面積が広くなる。
【００１８】
また、図３に示すように、凹孔３の底面と凸部２の上面（頂面）とは、相互の錐面は全周にわたり接触状態となって、小寸法の隙間が生じるよう設定されている。さらに、相互の錐面が接触状態で、上ウエイト部材５の下端面１８と下ウエイト部材６の上端面１７との間において、小寸法の隙間が生じるよう構成されており、全体の傾き等の位置調整を可能としている。
【００１９】
また、凸部２と凹孔３は、表面処理されることなく鋳放しの状態のままとされている。これにより、ウエイト部材１の製作工数の低減が可能となってコストダウンが図れる。なお、凸部２と凹孔３の表面が多少荒くても、ウエイト部材１自身の重みにより相互の密着状態を得ることができる。
【００２０】
或いは、凸部２と凹孔３は、切削又は研磨機械等により研削加工（機械加工）された表面を有するようにしてもよい。つまり、研削加工（機械加工）された表面を有する部材を別途製作し、取り付ければよく、または、鋳込むようにすればよい。これにより、ウエイト部材１同士の位置合わせが精度良く行なえ、また、凸部２と凹孔３との接触面の密着度が高まり、さらに、片当たりすることなく均一に接触できるため結合力が高まり、また、荷重を均一に分散させることができる。
【００２１】
さらに、凸部２と凹孔３のテーパー角度θ（図２参照）は大きいため、上ウエイト部材５と下ウエイト部材６とを上下重ねてからも、これらの多少の角度調節が行なえる。具体的に説明すると、そのテーパー角度θは、２０°〜３５°とされている。テーパ角度θが２０°未満の場合、凸部２と凹孔３との間でくいつきが生じやすくなり、組付け時の位置ずれ修正が困難となる。また、テーパ角度θが３５°を超えると上ウエイト部材５と下ウエイト部材６との間の連結が緩くなるおそれがある。
【００２２】
さらに、図示省略するが、下ウエイト部材６には、車両の牽引用フックが取着されている。従って、牽引による荷重（力）は、まず下ウエイト部材６に作用し、上ウエイト部材５へもその荷重を伝達させる。この際、上・下ウエイト部材５，６の差し込み嵌合部の形状が円錐形状であり、凸部２と凹孔３とが密着しているため、その荷重を、上ウエイト部材５の全体に、局部的な集中荷重として作用させることなく、分散させて伝達させることができる。
また、凸部２と凹孔３のテーパー角度θは、下ウエイト部材６に牽引力が作用した際に、上ウエイト部材５がそのテーパー形状によって持ち上がらないように設定されている。つまり、上ウエイト部材５の押さえつける力（自重）に対して、テーパー形状によって生ずる上向きの力が大きくならないようにしている。
【００２３】
【発明の効果】
本発明は上述の構成により次のような効果を奏する。
【００２４】
（請求項１によれば）連結用のボルトナットを用いることがなく、製作、組み立て共においてコストダウンが図れる。つまり、ウエイト部材１同士の組み立てにおいて芯合わせが極めて簡単となる。ウエイト部材１間の位置決めが正確に行なえ、位置ずれが防止でき、外観において好ましいものとできる。
さらに、一つのウエイト部材１（下ウエイト部材６）に牽引用フックを設けた場合において、そのウエイト部材１に作用する荷重を、他のウエイト部材１へ錐面を介して分散させて伝達できる。つまり、ウエイト部材１相互間の荷重伝達の系統が良好である構成が得られ、凸部２と凹部３とにより、複数のウエイト部材１から成る分割型カウンターウエイトであるが、外力に対して、一体的な構造として扱うことができる。
【００２５】
（請求項２によれば）ウエイト部材１の重みにより、凸部２と凹孔３との密着度が高まり、固定用のボルトナットを用いることなく、安定したカウンターウエイトを構成できる。
上下のウエイト部材１，１間の水平方向の位置決めを正確にし、組み立て後、ウエイト部材１，１間の横ずれを無くし、外観上の美観を損なわないようにすることができる。
【００２６】
（請求項３によれば）鋳造により作製するため、体積のコンパクト化が図れ、滑らかな（なだらかな）曲面を持つウエイト部材１とすることができ、きれいな外装を得ることができる。
製作工数の低減が可能となってコストダウンが図れ、また、ウエイト部材１の重みにより凸部２と凹孔３の表面が多少荒くても、相互密着状態を得ることができる。従って、連結するウエイト部材１，１間にボルトナットが不要となる。
【００２７】
（請求項４によれば）鋳造により作製するため、体積のコンパクト化が図れ、滑らかな（なだらかな）曲面を持つウエイト部材１とすることができ、きれいな外装を得ることができる。
ウエイト部材１同士の位置合わせが精度良く行なえ、また、凸部２と凹孔３との接触面は、機械加工されているので、面の密着度が高く、結合力が大きくでき、また、荷重を均一に分散させることができる。従って、連結するウエイト部材１，１間にボルトナットが不要となる。
【図面の簡単な説明】
【図１】本発明のカウンターウエイトの分解斜視図である。
【図２】カウンターウエイトの分解側面図である。
【図３】カウンターウエイトの組み立て側面図である。
【符号の説明】
１  ウエイト部材
２  凹孔
３  凸部
【図１】
2004338821.tif 000003
【図２】
2004338821.tif 000004
【図３】
2004338821.tif 000005